(57)【要約】【課題】簡単なユーザー作業で、ポスター等の用紙に対して、ユーザーが希望する位置に二次元コードを直接印刷できるようにする。【解決手段】搬送路を搬送される用紙に、画像形成の対象とされる画像データに基づいて、当該画像データが示す画像を形成する画像形成部１２と、画像形成部１２による用紙への画像形成位置よりも用紙搬送方向上流側に設けられ、搬送路を搬送される用紙の厚みを検出する超音波センサー１８と、超音波センサー１８による検出結果に基づいて、周囲よりも厚みが厚い用紙の領域（裏面にシートが貼り付けられた領域）を特定する特定部１０３と、画像形成部１２を制御して、特定部１０３により特定された用紙の領域に二次元コードを印刷させる制御部１００と、を備える。【選択図】図１
2020192734.tif 000002
【特許請求の範囲】
【請求項１】
用紙を搬送する搬送路と、
前記搬送路を搬送される前記用紙に、画像形成の対象とされる画像データに基づいて、当該画像データが示す画像を形成する画像形成部と、
前記画像形成部による前記用紙への画像形成位置よりも用紙搬送方向上流側に設けられ、前記搬送路を搬送される前記用紙の厚みを検出する厚み検出部と、
前記厚み検出部による検出結果に基づいて、周囲よりも厚みが厚い前記用紙の領域を特定する特定部と、
二次元コードの画像データを記憶する二次元コード記憶部と、
前記画像形成部を制御して、前記二次元コード記憶部に記憶されている前記画像データが示す前記二次元コードを、前記特定部により特定された前記用紙の領域に印刷させる制御部と、を備える画像形成装置。
【請求項２】
更に、前記制御部は、前記特定部により特定された前記領域の大きさに合わせて、前記二次元コードを拡大又は縮小して、前記用紙の領域に印刷させる請求項１に記載の画像形成装置。
【請求項３】
原稿の画像を読み取る原稿読取部と、
前記原稿読取部による読み取りで得られた前記二次元コードの画像データを、前記二次元コード記憶部に登録する登録部と、を更に備える請求項１又は請求項２に記載の画像形成装置。
【請求項４】
前記二次元コード記憶部は、複数の前記二次元コードの画像データを、印刷条件と対応付けて記憶可能であり、
前記制御部は、前記印刷条件に基づいて、前記領域に印刷する前記二次元コードを選択し、
前記印刷条件は、前記領域の厚み、前記領域の縦辺と横辺の比率、及び前記領域の傾きの少なくとも１つを有する請求項１乃至請求項３のいずれかに記載の画像形成装置。
【請求項５】
前記厚み検出部が、前記用紙の重送を検出する重送検出部と兼用されてなる請求項１乃至請求項４のいずれかに記載の画像形成装置。
【発明の詳細な説明】
【技術分野】
【０００１】
本発明は、画像形成装置に関し、特に、ＱＲコード（登録商標）等の二次元コードの印刷に関する。
【背景技術】
【０００２】
近年、ＱＲコードやバーコード等の二次元コードの需要が拡大しており、二次元コードを印刷したシールが貼り付けられたポスターなどの印刷物も少なくない。そして、下記の特許文献１では、バーコードを印刷したバーコードシールを、バーコード貼り付け対象物であるワークに精度良く貼り付けるための貼り付け機とその方法について提案されている。
【先行技術文献】
【特許文献】
【０００３】
【特許文献１】特開２００３−２１２２２４号公報
【発明の概要】
【発明が解決しようとする課題】
【０００４】
しかしながら、上記の特許文献１に記載されているように、二次元コードを印刷したシールをポスターに貼り付けるという方法では、シールがポスターから剥がれ、ポスターから二次元コードが消失する可能性がある。また、ポスターの表面に凹凸ができてしまうため、ポスターのデザイン性が損なわれるおそれがある。
【０００５】
このような問題を解決する方法としては、二次元コードをポスター等の用紙に直接印刷する方法が考えられる。二次元コードを用紙に直接印刷すれば、従来のように、シールが剥がれることによる二次元コードの消失は生じない。また、シールを用紙の表面に貼らなければ、用紙の表面に凹凸もできない。
【０００６】
しかしながら、ユーザーが希望する用紙位置に二次元コードを直接印刷させるのは簡単ではない。
【０００７】
本発明は、上記の事情に鑑みなされたものであり、簡単なユーザー作業で、ポスター等の用紙に対して、ユーザーが希望する位置に二次元コードを直接印刷可能にすることを目的とする。
【課題を解決するための手段】
【０００８】
本発明の一局面に係る画像形成装置は、用紙を搬送する搬送路と、前記搬送路を搬送される前記用紙に、画像形成の対象とされる画像データに基づいて、当該画像データが示す画像を形成する画像形成部と、前記画像形成部による前記用紙への画像形成位置よりも用紙搬送方向上流側に設けられ、前記搬送路を搬送される前記用紙の厚みを検出する厚み検出部と、前記厚み検出部による検出結果に基づいて、周囲よりも厚みが厚い前記用紙の領域を特定する特定部と、二次元コードの画像データを記憶する二次元コード記憶部と、前記画像形成部を制御して、前記二次元コード記憶部に記憶されている前記画像データが示す前記二次元コードを、前記特定部により特定された前記用紙の領域に印刷させる制御部と、を備える。
【発明の効果】
【０００９】
本発明によれば、周囲よりも厚みの厚い用紙の領域（例えば、シートが貼り付けられた領域）に二次元コードが印刷されるので、ユーザーは用紙に事前にシートを貼り付けておくことで、そのシート貼り付け位置に二次元コードを印刷させることができる。例えば、ユーザーは用紙に画像形成面の裏側からシートを貼り付けるという簡単な作業を行うだけで、二次元コードの印刷位置を指定することができる。
【００１０】
従って、簡単なユーザー作業で、ポスター等の用紙に対して、ユーザーが希望する位置に二次元コードを直接印刷させることが可能となる。また、印刷位置については、ユーザーが実際に目視して、直感的に指定することが可能なので、デザイン性が損なわれる可能性は低い。また、シートについては、用紙の裏面に貼り付ければ、用紙の表面に凹凸はできない。
【図面の簡単な説明】
【００１１】
【図１】本発明の第１実施形態に係る画像形成装置の構成を示した模式的な部分断面正面図である。
【図２】超音波センサーの構成を模式的に示した正面図である。
【図３】第１実施形態に係る画像形成装置の主要内部構成を概略的に示した機能ブロック図である。
【図４】シートが裏面に貼り付けられた用紙の一例を示した図であり、（Ａ）は、平面図で、（Ｂ）は側面図である。
【図５】第１実施形態に係る画像形成装置における制御ユニットで行われる処理動作の一例を示したフローチャートである。
【図６】ＱＲコードが印刷された用紙の一例を示した平面図である。
【図７】ＱＲコード記憶部のデータ構成の一例を示した図である。
【図８】（Ａ）は、ＱＲコードが印刷される前の用紙の一例を示した平面図であり、（Ｂ）は、ＱＲコードが印刷された用紙の一例を示した平面図である。
【発明を実施するための形態】
【００１２】
以下、本発明の一実施形態に係る画像形成装置について図面を参照して説明する。図１は、本発明の第１実施形態に係る画像形成装置の構成を示した模式的な部分断面正面図である。画像形成装置１は、例えば、コピー機能、プリンター機能、スキャナー機能、及びファクシミリ機能のような複数の機能を兼ね備えた複合機であり、装置本体１１に、操作部４７、原稿給送部６、原稿読取部５、画像形成部１２、定着部１３、給紙部１４、及び超音波センサー１８を含んで構成されている。
【００１３】
操作部４７は、画像形成装置１が実行可能な各種動作及び処理について、操作者から、画像形成動作実行指示等の指示を受け付ける。操作部４７は、操作者への操作案内等を表示する表示部４７３を備えている。表示部４７３はタッチパネルになっており、操作者は画面表示されるボタンやキーに触れて画像形成装置１を操作することができる。
【００１４】
画像形成装置１で原稿読取動作が行われる場合について説明する。原稿給送部６により給送されてくる原稿、又はプラテンガラス１６１に載置された原稿の画像を、原稿読取部５が光学的に読み取り、そして画像データを生成する。原稿読取部５により生成された画像データは、図略の画像メモリー等に保存される。
【００１５】
原稿読取部５は、光源射部及びＣＣＤ（Charge Coupled Device）センサー等を有する読取機構１６３を備えており、原稿読取部５は、光源を有する光照射部を使って原稿を照射し、その反射光をＣＣＤセンサーで受光することによって、原稿から画像を読み取る。
【００１６】
画像形成装置１で画像形成動作が行われる場合について説明する。原稿読取動作により生成された画像データや、画像メモリー等に記憶されている画像データ、ネットワーク接続されたコンピューターから受信した画像データ等に基づいて、画像形成部１２が、給紙部１４から給紙され搬送路１９０により搬送される用紙Ｐに上記画像データが示す画像をトナー像として形成する。
【００１７】
給紙部１４は、複数の給紙カセット１４１を備えている。各給紙カセット１４１の上方には、それぞれ給紙ローラー１４５が設けられており、当該給紙ローラー１４５により給紙カセット１４１に収容された用紙Ｐが搬送路１９０へ向けて繰り出される。
【００１８】
また、給紙部１４は、装置本体１１の壁面に開閉自在に設けられた手差しトレイ１４２及び給紙ローラー１４６を備えている。手差しトレイ１４２にセットされた用紙Ｐは、給紙ローラー１４６により搬送路１９０へ向けて繰り出される。給紙部１４から給紙された用紙Ｐは、搬送路１９０の適所に設けられた搬送ローラー対１９１により当該搬送路１９０内を搬送される。
【００１９】
画像形成部１２は、給紙部１４から給紙され搬送路１９０を搬送される用紙Ｐに画像を形成するものであり、ブラック、イエロー、シアン、及びマゼンタ用の感光体ドラム１２１と、転写ユニット１２０とを備え、感光体ドラム１２１は、図中の反時計回りに回転駆動するようになっている。
【００２０】
転写ユニット１２０は、その外周面にトナー像が転写される中間転写ベルト１２５、駆動ローラー１２５Ａ、従動ローラー１２５Ｂ、及び一次転写ローラー１２６を含んで構成されている。
【００２１】
中間転写ベルト１２５は、駆動ローラー１２５Ａと従動ローラー１２５Ｂとの間に張架され、感光体ドラム１２１の周面に当接した状態で駆動ローラー１２５Ａによって駆動され、感光体ドラム１２１と同期しながら、無端走行する。
【００２２】
カラー印刷を行う場合、画像形成部１２は、画像形成対象の画像データに基づいて、帯電、露光、及び現像の工程により、感光体ドラム１２１上にトナー像を形成し、トナー像を一次転写ローラー１２６により、中間転写ベルト１２５上に転写させる。
【００２３】
中間転写ベルト１２５上に転写される各色（ブラック、イエロー、シアン、マゼンタ）のトナー像は、中間転写ベルト１２５上で重ね合わされ、カラーのトナー像となる。
【００２４】
二次転写ローラー２１０は、中間転写ベルト１２５の表面に形成されたカラーのトナー像を、中間転写ベルト１２５を挟んだ、駆動ローラー１２５Ａとのニップ部Ｎにおいて、給紙部１４から搬送路１９０を搬送されてきた用紙Ｐに転写させる。
【００２５】
この後、定着部１３が、用紙Ｐ上のトナー像を熱定着により用紙Ｐに定着させる。定着処理の完了した画像形成済みの用紙Ｐは、定着部１３の上部に延設された搬送路１９０を通って、排出ローラー対１５９により排出トレイ１５１に排出される。
【００２６】
超音波センサー１８は、画像形成部１２による用紙Ｐへの画像形成位置（ニップ部Ｎ）よりも用紙搬送方向上流側に設けられるものである。例えば、超音波センサー１８は、手差しトレイ１４２とニップ部Ｎとの間に配置され、超音波を発信する発信部１８Ａと、当該発信部１８Ａから発信された超音波を受信する受信部１８Ｂと、を備える。なお、超音波センサー１８の配設位置は、画像形成位置よりも用紙搬送方向上流側であればよい。例えば、超音波センサー１８を、手差しトレイ１４２及び各給紙カセット１４１から搬送される用紙Ｐがいずれも通過する搬送路部分１９１０に配設してもよい。
【００２７】
発信部１８Ａと受信部１８Ｂとは、図２に示すように、搬送路１９０を搬送される用紙Ｐを挟み込むように対向配置されると共に、用紙搬送方向と直交する方向に、一定間隔で複数配置される。発信部１８Ａから用紙Ｐの表面に対して発信された超音波は、用紙Ｐを透過して受信部１８Ｂで受信される。発信部１８Ａと受信部１８Ｂとの間に介在物があると、超音波は減衰する。
【００２８】
例えば、図２に示したように、用紙ＰにシートＳＨが貼り付けられている部分は、シートＳＨが貼り付けられていない部分よりも、超音波の減衰量は大きくなる。すなわち、用紙Ｐの厚みが厚くなるに従って、超音波の減衰量は大きくなり、受信部１８Ｂが受信する超音波の振幅値（大きさ）は小さくなる。従って、受信部１８Ｂが受信した超音波の振幅値から、用紙Ｐの厚みを検出が可能である。
【００２９】
なお、超音波センサー１８は、特許請求の範囲における厚み検出部の一例である。また、複合機等には一般的に、用紙重送を検出する超音波センサーからなる重送検出部が設けられているで、厚み検出部としての役割を果たす超音波センサー１８を、当該重送検出部と兼用させてもよい。
【００３０】
図３は、第１実施形態に係る画像形成装置の主要内部構成を概略的に示した機能ブロック図である。画像形成装置１は、制御ユニット１０、原稿給送部６、原稿読取部５、画像形成部１２、ＨＤＤ（Hard Disk Drive）１１１、定着部１３、給紙部１４、操作部４７、及び超音波センサー１８を備える。なお、図１に示した画像形成装置１と同様の構成部分については同符号を付し、ここではその詳しい説明を省略する。
【００３１】
ＨＤＤ１１１は、大容量の記憶装置であり、ＱＲコード記憶部１１２を含む。ＱＲコード記憶部１１２には、例えば、ＨＤＤ１１１の一部領域からなる。ＱＲコード記憶部１１２は、後述する制御プログラムがインストールされることによりＨＤＤ１１１に作成される。なお、ＱＲコード記憶部１１２は、特許請求の範囲における二次元コード記憶部の一例である。
【００３２】
制御ユニット１０は、プロセッサー、ＲＡＭ（Random Access Memory）、ＲＯＭ（Read Only Memory）、及び専用のハードウェア回路を含んで構成される。プロセッサーは、例えばＣＰＵ（Central Processing Unit）、ＡＳＩＣ（Application Specific Integrated Circuit）、又はＭＰＵ（Micro Processing Unit）等である。制御ユニット１０は、制御部１００と、操作受付部１０１と、登録部１０２と、特定部１０３と、を備えている。
【００３３】
制御ユニット１０は、ＨＤＤ１１１等に記憶されている制御プログラムに従った上記プロセッサーによる動作により、制御部１００、操作受付部１０１、登録部１０２、及び特定部１０３として機能するものである。但し、制御部１００等は、制御ユニット１０による制御プログラムに従った動作によらず、それぞれハードウェア回路により構成することも可能である。以下、特に触れない限り、各実施形態について同様である。
【００３４】
制御部１００は、画像形成装置１の全体的な動作制御を司る。制御部１００は、原稿給送部６、原稿読取部５、画像形成部１２、ＨＤＤ１１１、定着部１３、給紙部１４、操作部４７、及び超音波センサー１８と接続され、これら各部の駆動制御等を行う。例えば、制御部１００は、画像形成部１２を制御して、画像形成の対象とされる画像データに基づいて、当該画像データが示す画像を用紙Ｐに印刷させる。
【００３５】
操作受付部１０１は、操作部４７を介したユーザーからの指示入力を受け付ける。操作受付部１０１は、操作部４７が備えるハードキーに対するユーザーからの指示を受け付け、更には、表示部４７３に表示されている操作画面に対する操作（タッチ操作）に基づく指示を、表示部４７３が有するタッチパネル機能を介して受け付ける。
【００３６】
登録部１０２は、原稿読取部５による読み取りで得られたＱＲコードの画像データを、ＱＲコード記憶部１１２に記憶させて登録する。例えば、操作受付部１０１が、ユーザーからのＱＲコードの登録要求を受け付けた状態で、更に、操作受付部１０１が、原稿読み取りのユーザー指示を受け付けると、制御部１００は、原稿読取部５を制御して、プラテンガラス１６１に載置されている原稿を原稿読取部５に読み取らせる。
【００３７】
その後、登録部１０２は、原稿読取部５による読み取りで得られた原稿画像の中から、ＱＲコードを検出し、検出したＱＲコードの画像データをＱＲコード記憶部１１２に登録する。なお。画像の中から、ＱＲコードを検出する処理には、既知の技術を用いる。
【００３８】
特定部１０３は、超音波センサー１８による検出結果に基づいて、周囲よりも厚みが厚い用紙Ｐの領域を特定する。例えば、図４に示すような、裏面（画像形成面の裏面）の右下にシートＳＨ１が貼り付けられた用紙Ｐ１が、超音波センサー１８によって厚みが検出される場合について説明する。図４（Ａ）は、用紙Ｐ１の平面図を示し、図４（Ｂ）は、用紙Ｐ１の側面図を示している。
【００３９】
用紙Ｐ１にシートＳＨ１が貼り付けられている部分は、シートＳＨ１が貼り付けられていない部分よりも、受信部１８Ｂが受信する超音波の振幅値は小さくなるので、特定部１０３は、超音波センサー１８による検出結果に基づいて、シートＳＨ１が貼り付けられている領域を特定する。すなわち、特定部１０３は、図４（Ａ）に示す破線で囲んだ、シートＳＨ１が貼り付けられた領域を特定する。
【００４０】
制御部１００は、画像形成部１２を制御して、ＱＲコード記憶部１１２に記憶されている画像データに基づいて、当該画像データが示すＱＲコードを、特定部１０３により特定された用紙Ｐの領域に印刷させる。
【００４１】
次に、第１実施形態に係る画像形成装置１の制御ユニット１０で行われる処理の一例について、図５に示したフローチャートに基づいて説明する。なお、この処理は、操作受付部１０１が、ユーザーからの用紙ＰへのＱＲコードの印刷要求を受け付けた状態で、更に、操作受付部１０１が、印刷開始のユーザー指示を受け付けた場合に行われる処理である。
【００４２】
まず、制御部１００は、図略のローラー駆動部の動作を制御して、給紙ローラー１４６及び搬送ローラー対１９１を回転させ、手差しトレイ１４２にセットされている用紙Ｐを搬送路１９０へ繰り出させると共に、搬送路１９０内を搬送させる（Ｓ１）。上記ローラー駆動部は、モーター、ギア、ドライバー等から構成される。
【００４３】
制御部１００は、超音波センサー１８を制御して、搬送路１９０内を搬送する用紙Ｐの厚みを検出させ（Ｓ２）、特定部１０３は、超音波センサー１８による検出結果に基づいて、周囲よりも厚みが厚い用紙Ｐの領域（シートが貼り付けられている領域）を特定する（Ｓ３）。
【００４４】
続いて、制御部１００は、ＱＲコード記憶部１１２からＱＲコードの画像データを読み出し（Ｓ４）、特定部１０３により特定された領域の大きさに合わせて、当該ＱＲコードを拡大又は縮小させる画像処理を行い（Ｓ５）、拡大又は縮小したＱＲコード及び特定部１０３により特定された領域の中心位置を算出する（Ｓ６，Ｓ７）。なお、ＱＲコードや上記領域の長方形の中心位置については、四辺の直線から既知の方法を用いて算出する。
【００４５】
その後、制御部１００は、画像形成部１２を制御して、拡大又は縮小したＱＲコードの中心位置と上記領域の中心位置とを一致させて当該ＱＲコードを用紙Ｐに印刷させ（Ｓ８）、図略のローラー駆動部の動作を制御して、搬送ローラー対１９１を回転させ、定着部１３で定着処理が施された用紙Ｐを、排出トレイ１５１に排出させる（Ｓ９）。この後、この処理は終了する。
【００４６】
例えば、図４に示したような用紙Ｐ１が手差しトレイ１４２にセットされた場合に、上記処理が実行されると、図６に示すような、右下（すなわち、シートＳＨ１が貼り付けられた位置）にＱＲコードＣ１が印刷された用紙Ｐ１が作成される。
【００４７】
上記第１実施形態によれば、周囲よりも厚みの厚い用紙Ｐの領域（例えば、シートＳＨが貼り付けられた領域）にＱＲコードが印刷されるので、ユーザーは用紙Ｐにおける画像形成面の裏面に事前にシートＳＨを貼り付けておくことで、画像形成面における当該シート貼り付け位置に相当する位置にＱＲコードを印刷することができる。すなわち、ユーザーは用紙ＰにシートＳＨを貼り付けるという簡単な作業を行うだけで、ＱＲコードの印刷位置を指定することができる。また、ＱＲコードの大きさについても、用紙Ｐに貼り付けるシートＳＨの大きさによって調整することができる。
【００４８】
従って、簡単なユーザー作業で、ポスター等の用紙Ｐに対して、ユーザーが希望する位置に、更には希望する大きさで、ＱＲコードを直接印刷させることが可能となる。また、印刷位置については、ユーザーが実際に目視して、直感的に指定することが可能なので、デザイン性が損なわれる可能性は低い。また、シートＳＨについては、用紙Ｐの裏面に貼り付ければ、用紙Ｐの表面に凹凸はできない。
【００４９】
なお、上記第１実施形態では、ＱＲコード記憶部１１２に１つのＱＲコードの画像データだけが記憶される場合について説明しているが、第２実施形態として、ＱＲコード記憶部１１２に、複数のＱＲコードの画像データを、印刷条件と対応付けて記憶可能にしてもよい。
【００５０】
図７（Ａ）は、上記第２実施形態におけるＱＲコード記憶部１１２のデータ構成の一例を示した図である。ＱＲコード記憶部１１２は、ＱＲコードＣ１に対応付けて、印刷条件として「領域の厚さが０．１５mm以上０．２０mm未満」が記憶され、ＱＲコードＣ２に対応付けて、印刷条件として「領域の厚さが０．２０mm以上」が記憶されている。なお、印刷条件については、原稿読取部５を用いてＱＲコードを読み込む際に、操作受付部１０１が、操作部４７を介してユーザーから印刷条件を指定する指示を受け付ける。
【００５１】
特定部１０３が、超音波センサー１８による検出結果に基づいて、周囲よりも厚みの厚い用紙Ｐの領域Ａの厚さＴを測定し、制御部１００が、印刷条件に基づいて、当該領域Ａに印刷するＱＲコードを決定する。例えば、シートＳＨが貼り付けられている領域Ａの用紙Ｐの厚さＴ（正確には、用紙ＰにシートＳＨを重ねた厚さ）が０．２５mmである場合には、制御部１００は、当該領域Ａに印刷するＱＲコードをＱＲコードＣ２に決定する。また、用紙Ｐの複数箇所にシートＳＨが貼り付けられている場合には、制御部１００は、それぞれの領域の厚さに基づいて、印刷するＱＲコードを決定する。
【００５２】
また、印刷条件としては、その他に、図７（Ｂ）又は（Ｃ）に示すように、周囲よりも厚みの厚い領域Ａの縦辺と横辺の比率や傾きがある。例えば、制御部１００は、特定部１０３により特定された領域Ａが正方形（縦辺と横辺の長さが同じ）であるか、正方形を除く長方形（縦辺と横辺の長さが異なる）であるか否かを判定し、領域Ａが正方形であると判定した場合、印刷対象をＱＲコードＣ１に決定し、領域Ａが正方形以外の長方形であると判定した場合には、印刷対象をＱＲコードＣ２に決定する。
【００５３】
また、制御部１００は、領域Ａの四辺がそれぞれ用紙Ｐの辺と平行であると判定した場合には、印刷対象をＱＲコードＣ１に決定し、領域Ａの四辺が用紙Ｐの辺と平行でなく、傾いていると判定した場合には、印刷対象をＱＲコードＣ２に決定する。但し、領域Ａが傾いていたとしても、ＱＲコードを用紙Ｐに印刷する際には、ＱＲコードの四辺はそれぞれ用紙Ｐの辺と平行にするのが好ましい。例えば、図８（Ａ）に示すように、用紙Ｐ１の裏面にシートＳＨ２が傾けて貼り付けられていたとしても、図８（Ｂ）に示すように、ＱＲコードＣ２の四辺それぞれを用紙Ｐの辺と平行にして印刷する。
【００５４】
なお、ここまで用紙ＰにＱＲコードを印刷する場合について説明しているが、用紙Ｐに印刷するものはＱＲコードに限定されず、バーコード等のその他の二次元コードでもよい。
【００５５】
また、上記実施形態では、図１乃至図８を用いて上記実施形態により示した構成及び処理は、本発明の一実施形態に過ぎず、本発明を当該構成及び処理に限定する趣旨ではない。
【符号の説明】
【００５６】
１        画像形成装置
５        原稿読取部
１２      画像形成部
１００    制御部
１０２    登録部
１０３    特定部
１１２    ＱＲコード記憶部
１９０    搬送路
【図１】
2020192734.tif 000003
【図２】
2020192734.tif 000004
【図３】
2020192734.tif 000005
【図４】
2020192734.tif 000006
【図５】
2020192734.tif 000007
【図６】
2020192734.tif 000008
【図７】
2020192734.tif 000009
【図８】
2020192734.tif 000010